(57)【要約】      （修正有）【課題】化粧液の回流を回避可能であり、化粧液は、塗抹しようとする部位に直接に塗抹可能であり、化粧液の流出が均一であり、ユーザの手が化粧液に接触することがない化粧品塗抹装置を提供する。【解決手段】内部に収容空間が設けられ、底部に液体排出穴が複数設けられ、上部に充填穴１２が設けられている吐出部材１０と、収容空間を充填するスポンジと、入液柱２２の底部に位置決めリング２４が設けられ、入液柱の中央に貫通孔２２１が設けられ、貫通孔は位置決めリングから下環状突起２６に延びる中央軸台２０と、互いに対向し、中央軸台がその間に設けられ、互いに対向する裏面の下端に近接する箇所に位置決め溝３６がそれぞれ設けられている第１サイド蓋３０及び第２サイド蓋３２と、逆止部材４０と、底部に位置決め柱５２が設けられ、位置決め柱は逆止部材の上端部と嵌合して固定される上蓋５０と、を備える。【選択図】図２
0003209249.tif 000002
【実用新案登録請求の範囲】
【請求項１】
その内部に収容空間が設けられており、その底部に液体排出穴が複数設けられており、その上部に充填穴が設けられており、前記充填穴の上面に位置決め用環状突起が設けられている吐出部材と、
前記収容空間を充填するスポンジと、
入液柱の底部に位置決めリングが設けられており、前記位置決めリングの底部から下環状突起が延び、前記入液柱は、中空状を呈し、その中央に貫通孔が設けられており、前記貫通孔は、前記位置決めリングから前記下環状突起に延び、前記下環状突起を介して前記吐出部材の上部の前記充填穴に設けられている中央軸台と、
互いに対向し、前記中央軸台がその間に設けられており、互いに対向する裏面の下端に近接する箇所に位置決め溝がそれぞれ設けられており、前記各位置決め溝は前記位置決め用環状突起と嵌合する第１サイド蓋及び第２サイド蓋と、
逆止部材と、
その底部に位置決め柱が設けられており、前記位置決め柱は前記逆止部材の上端部と嵌合して固定される上蓋と、
を備えることを特徴とする化粧品塗抹装置。
【請求項２】
前記第１サイド蓋と前記第２サイド蓋とは、対向する裏面に位置決め片がそれぞれ設けられており、前記各位置決め片は、前記位置決め溝の上に設けられており、前記各位置決め片の自由端には、凹んだ円弧段が設けられており、前記入液柱の上部に環状突起が設けられており、前記環状突起の断面の半径は、前記入液柱の断面の半径より小さく、前記各円弧段は前記環状突起の表面の外側に当接し、前記各円弧段の底部は前記入液柱の上面に当接することを特徴とする、請求項１に記載の化粧品塗抹装置。
【請求項３】
前記第１サイド蓋と前記第２サイド蓋との裏面の互いに対応する箇所に係合溝が設けられており、前記各係合溝は前記各位置決め片の上に設けられており、前記上蓋の裏底面は、前記各係合溝に対応する箇所に係合部材がそれぞれ設けられており、前記各係合部材は、前記各係合溝と係合して固定されることを特徴とする、請求項２に記載の化粧品塗抹装置。
【請求項４】
前記逆止部材は、その底部に縮径部が設けられており、その上部に延び部が設けられており、前記縮径部は、前記貫通孔の内部の前記位置決めリングに近接する一端に設けられており、前記延び部は前記位置決め柱を挿通することを特徴とする、請求項１に記載の化粧品塗抹装置。
【請求項５】
前記入液柱、前記位置決めリング及び前記下環状突起は、一体成形されることを特徴とする、請求項１に記載の化粧品塗抹装置。
【請求項６】
前記吐出部材の外面にスリーブが嵌合されており、前記スリーブは前記吐出部材の外面を完全に覆うことを特徴とする、請求項１に記載の化粧品塗抹装置。
【請求項７】
前記第１サイド蓋の両側の裏面の端部に凹部がそれぞれ設けられており、前記第２サイド蓋の両側の裏面の端部には、前記各凹部に対応する凸部がそれぞれ設けられており、前記凸部は前記凹部と係合可能であることを特徴とする、請求項１に記載の化粧品塗抹装置。
【請求項８】
前記第１サイド蓋と前記第２サイド蓋は一体成形されることを特徴とする、請求項１に記載の化粧品塗抹装置。
【請求項９】
前記中央軸台、前記第１サイド蓋及び前記第２サイド蓋は、一体成形されることを特徴とする、請求項１に記載の化粧品塗抹装置。
【請求項１０】
前記逆止部材と前記上蓋は一体成形されることを特徴とする、請求項１に記載の化粧品塗抹装置。
【考案の詳細な説明】
【技術分野】
【０００１】
本考案は、化粧用品に関し、特に、化粧液が中央軸台からスポンジに充填されて、逆止部材を塞ぐことにより、化粧液の回流を回避可能であり、化粧液は、吐出部材に設けられている複数の液体排出穴から流出して、塗抹しようとする部位に直接に塗抹可能であり、化粧液の流出が均一であり、ユーザの手が化粧液に接触することはない化粧品塗抹装置に関するものである。
【背景技術】
【０００２】
リキッドファンデーション、ＢＢクリーム、ＣＣクリーム及び化粧下地は、一つの手に液体を少し押し出して、別の手を当該液体に付けて顔に塗抹して、指の腹によって当該液体を顔に均一に塗布する。しかしながら、リキッドファンデーションやＢＢクリームなどの液体を収容する瓶体を押さえるときに、液体の流出量は、ユーザの経験によって押さえ力の大きさを判断することが必要である。押さえ力が大きすぎると、多すぎる液体が流出し、液体を無駄にするという問題がある。押さえ力が小さすぎると、流出する液体が不足であるため、液体を複数回に押し出すことが必要であるという問題がある。
【考案の概要】
【考案が解決しようとする課題】
【０００３】
本考案の主な目的は、化粧液が中央軸台からスポンジに充填されて、逆止部材を塞ぐことにより、化粧液の回流を回避可能であり、化粧液は、吐出部材に設けられている複数の液体排出穴から流出して、塗抹しようとする部位に直接に塗抹可能であり、化粧液の流出が均一であり、ユーザの手が化粧液に接触することはない化粧品塗抹装を提供することにある。
【課題を解決するための手段】
【０００４】
本考案の化粧品塗抹装によると、その内部に収容空間が設けられており、その底部に液体排出穴が複数設けられており、その上部に充填穴が設けられており、充填穴の上面に位置決め用環状突起が設けられている吐出部材と、
収容空間を充填するスポンジと、
入液柱の底部に位置決めリングが設けられており、位置決めリングの底部から下環状突起が延び、入液柱は、中空状を呈し、その中央に貫通孔が設けられており、貫通孔は、位置決めリングから下環状突起に延び、下環状突起を介して吐出部材の上部の充填穴に設けられている中央軸台と、
互いに対向し、中央軸台がその間に設けられており、互いに対向する裏面の下端に近接する箇所に位置決め溝がそれぞれ設けられており、各位置決め溝は位置決め用環状突起と嵌合する第１サイド蓋及び第２サイド蓋と、
逆止部材と、
その底部に位置決め柱が設けられており、位置決め柱は逆止部材の上端部と嵌合して固定される上蓋と、
を備えることを特徴とする。
【考案の効果】
【０００５】
本考案の化粧品塗抹装置によれば、次のような効果がある。
（１）化粧液を入液柱からスポンジに注入すると、化粧液がスポンジ内に均一に分散する。使用時に、塗抹しようとする部位に、吐出部材の底面を軽くタッチすると、化粧液は、塗抹しようとする部位に直接に塗抹可能であり、ユーザの手が化粧液に接触することはない。従来のもののように、指の腹を利用しないと、化粧液を均一に塗布できないことはない。
【０００６】
（２）中央軸台の下環状突起は充填穴から吐出部材に設け、位置決めリングは位置決め用環状突起に押付け、且つ第１サイド蓋と第２サイド蓋を合わせて形成される位置決め溝は位置決め用環状突起を固定し、吐出部材と中央軸台を締まり嵌め状態にするため、スポンジに化粧液を注入した後、化粧液が吐出部材と中央軸台の当接箇所から漏れ出すことを防止可能である。
【０００７】
（３）吐出部材は弾性を有する材料を採用するため、ユーザが吐出部材を押し下げて化粧液が流出した後、材料の弾力により、吐出部材は本来の状態に自然的に戻し可能である。
【図面の簡単な説明】
【０００８】
【図１】本考案に係る化粧品塗抹装置を示す斜視図である。
【図２】本考案に係る化粧品塗抹装置を示す分解斜視図である。
【図２Ａ】本考案に係る吐出部材の底面に設けられている複数の液体排出穴を示す斜視図である。
【図３】本考案に係る化粧品塗抹装置を示す断面図である。
【図３Ａ】図３におけるＡ-Ａ線の断面図である。
【図３Ｂ】図３におけるＢ-Ｂ線の断面図である。
【図４】本考案に係る化粧品塗抹装置の使用状態を示す模式図である。
【図５】本考案に係るスリーブが嵌められている化粧品塗抹装置の一部を剖開した状態を示す斜視図である。
【考案を実施するための形態】
【０００９】
以下、本考案の実施の形態を図面に基づいて説明する。
【００１０】
図１から図２Ａを参照する。本考案に係る化粧品塗抹装置は、吐出部材１０と、スポンジ１８と、中央軸台２０と、第１サイド蓋３１と、第２サイド蓋３２と、逆止部材４０と、上蓋５０と、を備える。
【００１１】
吐出部材１０は、その底部に液体排出穴１６が複数設けられており、その内部に収容空間１４が設けられており、その上面に充填穴１２が設けられている。充填穴１２の周縁には、上方に延びる位置決め用環状突起１１が設けられている。位置決め用環状突起１１の底面と吐出部材１０の上面とは、その間に隙間が存在するため、互いに直接に接触しない。
【００１２】
スポンジ１８は、収容空間１４を充填する。
【００１３】
中央軸台２０の底部は吐出部材１０の充填穴１２に設けられている。中央軸台２０は、入液柱２２、位置決めリング２４及び下環状突起２６から構成され、入液柱２２、位置決めリング２４及び下環状突起２６が一体成形される。入液柱２２の底部に位置決めリング２４が設けられている。位置決めリング２４から下環状突起２６が下方へ延びる。入液柱２２の中央に貫通孔２２１が設けられている。貫通孔２２１は、位置決めリング２４から下環状突起２６に延びる。入液柱２２の上部には、環状突起２２２が延びるように設けられている。環状突起２２２の断面の半径は、入液柱２２の断面の半径より小さい。
【００１４】
第１サイド蓋３１と第２サイド蓋３２とは、その外面が下から上へ徐々に縮径する円弧状を呈する。第１サイド蓋３１と第２サイド蓋３２とは、対向する裏面の上面に位置決め片３４がそれぞれ設けられている。各位置決め片３４の対向する箇所には、凹んだ円弧段３８が設けられている。円弧段３８は、環状突起２２２の外周面に当接し、その底部が入液柱２２の上面に当接する。各位置決め片３４の上では、係合溝３９がそれぞれ設けられている。第１サイド蓋３１と第２サイド蓋３２との裏面の底部には、位置決め溝３６がそれぞれ設けられている。位置決め片３４は位置決め溝３６の上方に設けられている。第１サイド蓋３１の裏面の周縁の両側には、凹部３１２がそれぞれ設けられている。第１サイド蓋３１に対向する第２サイド蓋３２の裏面の周縁の両側には、凹部３１２と嵌合可能な凸部３２２がそれぞれ設けられている。凹部３１２と凸部３２２を嵌合した後、第１サイド蓋３１と第２サイド蓋３２とに設けられている位置決め溝３６は、位置決め用環状突起１１及び位置決めリング２４と係合する。これにより、吐出部材１０と中央軸台２０とは、互いに牽制されて固定する。
【００１５】
逆止部材４０の底部に縮径部４０１が設けられている。縮径部４０１は、貫通孔２２１の位置決めリング２４に近接する一端に設けられている。逆止部材４０の上部に延び部４０２が設けられている。逆止部材４０は、入液柱２２の貫通孔２２１に設けられている。
【００１６】
上蓋５０の裏面には、係合溝３９に対応する係合部材５９が設けられている。上蓋５０の底部に位置決め柱５２が設けられている。位置決め柱５２は、入液柱２２の貫通孔２２１に設けられている。上蓋５０は、第１サイド蓋３１と第２サイド蓋３２との上面を被る。係合溝３９は係合部材５９と係合する。位置決め柱５２は延び部４０２を嵌める。
【００１７】
入液柱２２の上部に環状突起２２２が設けられている。環状突起２２２の断面の半径は、入液柱２２の断面の半径より小さい。各円弧段３８は環状突起２２２の表面の外側に当接する。各円弧段３８の底部は入液柱２２の上面に当接する。
【００１８】
第１サイド蓋３１と第２サイド蓋３２とは、超音波によって溶接して一体となる。
【００１９】
第１サイド蓋３１と第２サイド蓋３２は、一体成形される。
【００２０】
中央軸台２０、第１サイド蓋３１及び第２サイド蓋３２は、一体成形される。
【００２１】
逆止部材４０と上蓋５０は、一体成形される。
【００２２】
図２、図３から図３Ｂを参照する。位置決めリング２４の直径は下環状突起２６の直径より大きく、下環状突起２６の直径は充填穴１２の直径よりやや小さいため、吐出部材１０に中央軸台２０を結合するときに、下環状突起２６が充填穴１２に入れられ、位置決めリング２４の底面は位置決め用環状突起１１の表面に当接し、位置決め柱５２の底部は逆止部材４０の上面に押付け、位置決め柱５２の底部の内周面は延び部４０２の外面に当接する。
【００２３】
図２及び図４を参照する。中央軸台２０及び吐出部材１０に第１サイド蓋３１及び第２サイド蓋３２を結合した後、入液柱２２の貫通孔２２１から化粧液６２を注入して、化粧液６２は、貫通孔２２１に沿って充填穴１２を通過して、スポンジ１８に吸収される。スポンジ１８に吸収されると、化粧液６２は均一に分散する。化粧液６２を注入した後、逆止部材４０によって貫通孔２２１を塞ぐことにより、入液柱２２が閉鎖状態となる。このとき、縮径部４０１は位置決めリング２４の一端に近接し、延び部４０２は上蓋５０の一端に近接する。最後に、上蓋５０を被ると、本考案に係る化粧品塗抹装置の上部は封止される。吐出部材１０の底面に液体排出穴１６が複数に設けられているため、使用時に、ユーザは、第１サイド蓋３１と第２サイド蓋３２を結合して形成される凹みを握って、塗抹しようとする部位に吐出部材１０の底面を重複に押付けると、吐出部材１０に加える力がスポンジ１８を圧縮して、スポンジ１８の内部の化粧液１６が流出する。一方、吐出部材１０は、シリコンや弾性を有する材料を採用するため、弾性力を有する。これにより、吐出部材１０は、押圧されたと、本来の状態に自然的に戻し可能である。
【００２４】
図４及び図５を参照する。使用時に、吐出部材１０の外面にスリーブ６０が嵌合されており、スリーブ６０は吐出部材１０の外面を完全に覆い、そして各液体排出穴１６もスリーブ６０に覆われる。スリーブ６０は微小な貫通孔を有する。化粧液６２は、液体排出穴１６から流出して、スリーブ６０を通過する。これにより、化粧液６２をもっと均一に分散可能であり、塗抹効果をもっと良くすることができる。
【００２５】
スリーブ６０はパフである。
【産業上の利用可能性】
【００２６】
本考案は、化粧液の塗抹装置に適用することができる。
【符号の説明】
【００２７】
１０  吐出部材
１１  位置決め用環状突起
１２  充填穴
１４  収容空間
１６  液体排出穴
１８  スポンジ
２０  中央軸台
２２  入液柱
２４  位置決めリング
２６  下環状突起
３１  第１サイド蓋
３２  第２サイド蓋
３４  位置決め片
３６  位置決め溝
３８  円弧段
３９  係合溝
４０  逆止部材
５０  上蓋
５２  位置決め柱
２２１  貫通孔
２２２  環状突起
３１２  凹部
３２２  凸部
４０１  縮径部
４０２  延び部
【図１】
0003209249.tif 000003
【図２】
0003209249.tif 000004
【図２Ａ】
0003209249.tif 000005
【図３】
0003209249.tif 000006
【図３Ａ】
0003209249.tif 000007
【図３Ｂ】
0003209249.tif 000008
【図４】
0003209249.tif 000009
【図５】
0003209249.tif 000010